(57)【要約】【課題】簡単な構造で構成でき、かつ良好な操作性が確保できる開閉部材の係止装置および建具を提供すること。【解決手段】室内側操作部材１４と室外側操作部材１７とを有して係止装置本体１０を構成し、室内側操作部材１４の連結部１４３と室外側操作部材１７の被連結部１７２とを回転可能に連結したので、室外側から室外側操作部材１７を回動操作することによって室内側操作部材１４が回動され、係合部１４１と受け部２０との係合を解除することができる。また、室外側操作部材１７を回動操作する操作方向が可動桟４の開方向に合致しているので、係合部１４１と受け部２０との係合解除操作と可動桟４の開放操作とを連続した一連の操作で行うことができる。従って、簡単な構造で係止装置本体１０を構成することができるとともに、室外側からであっても良好な操作性で可動桟４を開放することができる。【選択図】図３
2007169906.tif 000002
【特許請求の範囲】
【請求項１】
第１空間と第２空間とを開閉自在に仕切る開閉部材の可動桟に固定された係止装置本体と、前記可動桟が当接する当接枠における前記第１空間側に設けられた受け部とを備えた開閉部材の係止装置であって、
前記係止装置本体は、前記可動桟における前記第１空間側に設けられるとともに当該可動桟の長手方向に沿った主回動軸に回動自在に支持される主操作部材と、当該可動桟における前記第２空間側に設けられるとともに前記主回動軸と平行な副回動軸に回動自在に支持される副操作部材とを有して構成され、
前記主操作部材は、前記受け部に係合可能な係合部と、当該主操作部材を回動操作するための主操作部と、前記回動軸よりも前記第２空間側に延びる連結部とを有して形成されるとともに、前記係合部が前記受け部に係合する回動方向に付勢され、
前記副操作部材は、前記副回動軸よりも前記第１空間側に延びて前記主操作部材の連結部に回転可能に連結される被連結部と、当該副操作部材を回動操作するための副操作部とを有して形成されている開閉部材の係止装置。
【請求項２】
前記主操作部材の主操作部は、前記主回動軸を挟んで前記係合部の反対側に設けられている請求項１に記載の開閉部材の係止装置。
【請求項３】
前記主操作部材の主操作部は、前記係合部よりも前記受け部側に突出して設けられている請求項１または請求項２に記載の開閉部材の係止装置。
【請求項４】
前記主操作部材の主操作部は、前記主回動軸を挟んで前記連結部の反対側でかつ前記第１空間側に突出して設けられている請求項１から請求項３のいずれかに記載の開閉部材の係止装置。
【請求項５】
前記副操作部材の副操作部は、前記副回動軸を挟んで前記被連結部の反対側でかつ前記第２空間側に突出して設けられている請求項１から請求項４のいずれかに記載の開閉部材の係止装置。
【請求項６】
請求項１から請求項５のいずれかに記載の開閉部材の係止装置を備えた建具。
【請求項７】
請求項１から請求項５のいずれかに記載の開閉部材の係止装置を備えた建具であって、
前記開閉部材は、室内空間と室外空間とを左右開閉自在に仕切る網戸であり、ネットと、このネットを開方向に付勢する網戸本体と、この網戸本体と反対側の前記ネットの端縁を保持する可動桟と、この可動桟を左右スライド自在に案内する上下のレールとを有して構成され、
前記係止装置を構成する主操作部材および副操作部材は、それぞれ前記可動桟の室内空間側側面および室外空間側側面に対向して設けられている建具。
【発明の詳細な説明】
【技術分野】
【０００１】
本発明は、開閉部材の係止装置および建具に関し、詳しくは、開閉部材の可動桟に固定された係止装置本体と可動桟が当接する当接枠に設けられた受け部とを備えた開閉部材の係止装置、およびこの係止装置を備えた建具に関する。
【背景技術】
【０００２】
従来、巻き取り式スクリーン等の開閉部材を閉状態で係止可能で、かつ室内外のいずれの側からも係止解除可能な係止装置（ロックユニット）が提案されている（例えば、特許文献１参照）。
特許文献１に記載された係止装置は、巻き取り式スクリーンの可動框における室内側に設けられて枠体の係合部に係合可能なフック部材と、室外側に設けられて室内側に向かって押し込み操作可能な操作部材と、この操作部材の押し込み操作をフック部材に伝達する伝達ピンと、室外側から可動框を開操作するための室外側ハンドルとを有して構成されている。巻き取り式スクリーンを室内側から開放する場合には、係止装置のフック部材を室内側に引いて係合部との係合を解除し、そのままフック部材を可動框の開方向に引けばよい。一方、室外側から開放する場合には、係止装置の操作部材を室内側に押し込んで伝達ピンを介してフック部材を回動させることで、フック部材と係合部との係合を解除することができ、その状態で室外側ハンドルを可動框の開方向に引けば、巻き取り式スクリーンが開放されるようになっている。
【０００３】
【特許文献１】特開２００３−３４３１８３号公報
【発明の開示】
【発明が解決しようとする課題】
【０００４】
しかしながら、従来の係止装置では、室外側に設けた操作部材の押し込み操作をフック部材に伝達するための伝達ピンが必要となり、部品点数が多くなるとともに装置の構造が複雑化してしまうという問題がある。また、従来の係止装置では、伝達ピンが可動框の室外側に突出して設けられているので、この突出部分から雨水や埃等が可動框の内部に入り込んで係止装置の可動部分に付着し、係止装置が動作不良を起こす可能性がある。さらに、室外側から巻き取り式スクリーンを開放する際には、操作部材を押し込んだ状態で室外側ハンドルを引かなければならず、開放操作が煩雑になって操作性が低下してしまうという問題もある。
【０００５】
本発明の目的は、簡単な構造で構成でき、安定的かつ良好な操作性が確保できる開閉部材の係止装置および建具を提供することにある。
【課題を解決するための手段】
【０００６】
本発明の開閉部材の係止装置は、第１空間と第２空間とを開閉自在に仕切る開閉部材の可動桟に固定された係止装置本体と、前記可動桟が当接する当接枠における前記第１空間側に設けられた受け部とを備えた開閉部材の係止装置であって、前記係止装置本体は、前記可動桟における前記第１空間側に設けられるとともに当該可動桟の長手方向に沿った主回動軸に回動自在に支持される主操作部材と、当該可動桟における前記第２空間側に設けられるとともに前記主回動軸と平行な副回動軸に回動自在に支持される副操作部材とを有して構成され、前記主操作部材は、前記受け部に係合可能な係合部と、当該主操作部材を回動操作するための主操作部と、前記回動軸よりも前記第２空間側に延びる連結部とを有して形成されるとともに、前記係合部が前記受け部に係合する回動方向に付勢され、前記副操作部材は、前記副回動軸よりも前記第１空間側に延びて前記主操作部材の連結部に回転可能に連結される被連結部と、当該副操作部材を回動操作するための副操作部とを有して形成されていることを特徴とする。
【０００７】
ここで、本発明の開閉部材としては、窓や引き戸における障子や戸、網戸、可動間仕切り（パーティション）等であってもよく、また巻き取り式のスクリーンや（横引きロールスクリーン）やロール網戸等であってもよい。また、第１空間および第２空間としては、室内空間および室外空間のいずれか一方で第１空間が構成されて他方で第２空間が構成されてもよく、また室内または室外における隣接する２つの空間で第１および第２の空間が構成されてもよい。
【０００８】
以上の本発明によれば、主操作部材と副操作部材とを有して係止装置の係止装置本体を構成し、主操作部材の連結部と副操作部材の被連結部とを回転可能に連結したことで、第２空間側から副操作部を操作して副操作部材を回動操作することによって主操作部材が回動され、係合部と受け部との係合を解除することができる。また、副操作部材を回動操作する操作方向を可動桟の開方向に合わせておくだけで、係合部と受け部との係合解除操作と可動桟の開放操作とを連続した一連の操作で行うことができる。さらに、主操作部材の連結部が第１空間側から第２空間側に向かって延びて形成され、副操作部材の被連結部が第２空間側から第１空間側に向かって延びて形成される、つまり連結部と被連結部とを可動桟の内部で連結させることができ、従来のように室外空間に突出して設けられていないため、室外の雨水や埃等の浸入や付着を防止することができる。従って、従来の係止装置のように部品点数が多くなったり構造が複雑になったりすることなく、簡単な構造で開閉部材の係止装置を構成するとともに安定動作を確保することができ、かつ第２空間側からであっても良好な操作性で開閉部材を開放することができる。
【０００９】
この際、本発明の開閉部材の係止装置では、前記主操作部材の主操作部は、前記主回動軸を挟んで前記係合部の反対側に設けられていてもよく、また、前記係合部よりも前記受け部側に突出して設けられていてもよく、さらには、前記主回動軸を挟んで前記連結部の反対側でかつ前記第１空間側に突出して設けられていてもよい。
ここで、主操作部材の主操作部は、上述の３箇所のうちのいずれか１箇所に設けられていてもよく、また上述の３箇所のうちの任意の２箇所、または３箇所全てに設けられていてもよい。
このような構成によれば、係止装置の第１空間側からの意匠性や、可動桟あるいは当接枠の形状等に応じて主操作部の位置や形態を任意に選択することができる。
【００１０】
そして、主回動軸を挟んで係合部の反対側に主操作部を設ければ、主操作部の操作方向（例えば、第２空間側に押し込む方向）と反対向き（第１空間側）に係合部が移動（主操作部材が回動）し、係合部と受け部の係合を容易に解除することができる。さらに、この場合には、係合部と主操作部とが回動軸を挟んで設けられるので、主操作部材を板状に形成することができ、第１空間側への突出量を小さくして主操作部が邪魔にならないようにすることができる。
また、係合部よりも受け部側に突出して主操作部を設ければ、主操作部の操作方向（例えば、第１空間側に引く方向）と同じ向き（第１空間側）に係合部が移動（主操作部材が回動）し、係合部と受け部の係合を容易に解除することができる。さらに、この場合には、係合部と主操作部とが回動軸に対して同じ側に設けられるので、主操作部材の見付け寸法をコンパクトに形成することができ、係止装置の意匠性を良好にすることができる。
また、主回動軸を挟んで連結部の反対側（第１空間側）に突出して主操作部を設ければ、指等を引っ掛けるようにして主操作部を操作することができ、また主操作部の操作方向を可動桟の開方向に合致させやすくなるので、より一層操作性を良好にすることができる。
【００１１】
また、本発明の開閉部材の係止装置では、前記副操作部材の副操作部は、前記副回動軸を挟んで前記被連結部の反対側でかつ前記第２空間側に突出して設けられていることが好ましい。
このような構成によれば、副回動軸を挟んで被連結部の反対側（第２空間側）に突出して副操作部を設けたことで、指等を引っ掛けるようにして副操作部を操作することができ、また副操作部の操作方向を可動桟の開方向に合致させやすくなるので、操作性をさらに良好にすることができる。さらに、このような副操作部と、前述のように第１空間側に突出して設けた主操作部とを組み合わせて係止装置を構成すれば、主操作部および副操作部の係止解除操作が共通化され、第１空間側から開閉部材を開放する場合と第２空間側から開放する場合とで操作感を統一することができる。
【００１２】
一方、本発明の建具は、前記したいずれかの開閉部材の係止装置を備えた建具であることを特徴とする。
このような建具によれば、前述した係止装置における作用効果と略同様の作用効果を奏することができる。
【００１３】
また、本発明の建具は、前記したいずれかの開閉部材の係止装置を備えた建具であって、前記開閉部材は、室内空間と室外空間とを左右開閉自在に仕切る網戸であり、ネットと、このネットを開方向に付勢する網戸本体と、この網戸本体と反対側の前記ネットの端縁を保持する可動桟と、この可動桟を左右スライド自在に案内する上下のレールとを有して構成され、前記係止装置を構成する主操作部材および副操作部材は、それぞれ前記可動桟の室内空間側側面および室外空間側側面に対向して設けられていることを特徴とする。
ここで、網戸としては、網戸本体にネットが巻き取り収納されるロール網戸であってもよく、また網戸本体側にネットが蛇腹状に引き寄せられて開放されるタイプの網戸であってもよい。
このような構成によれば、ネットが網戸本体側に付勢された自動開放形式の網戸において、係止装置によって網戸の閉鎖状態を良好に維持できるとともに、前述した係止装置における作用効果と略同様の作用効果を奏することができる。すなわち、係止装置の構造を簡単化することができるとともに、室外空間側からの開放操作の操作性を良好にすることができる。
【発明を実施するための最良の形態】
【００１４】
以下、本発明の実施形態を図面に基づいて説明する。
図１は、本発明の実施形態に係る建具である巻き取り収納式のロール網戸１を示す横断面図である。図２は、ロール網戸１を示す縦断面図である。図３は、ロール網戸１の可動桟４および当接枠７を拡大して示す横断面図である。図４は、可動桟４に設けられる係止装置本体１０を分解して示す分解斜視図である。図５(Ａ)〜(Ｃ)は、係止装置本体１０の動作を説明する横断面図である。
図１〜図５において、巻き取り収納式のロール網戸１は、図示しない窓や出入り口等の室内側に設けられた開閉部材であって、窓の障子や出入り口の扉等を開放した際に室内空間（第１空間）と室外空間（第２空間）とを左右開閉自在に仕切って虫等が室内空間に浸入するのを防止しかつ通気性のあるネット２を有して構成されている。
【００１５】
ロール網戸１は、ネット２を巻き取り収納するロール網戸本体３と、このロール網戸本体３と反対側（図１の左側）のネット２の端縁を保持する可動桟４と、この可動桟４を左右スライド自在に案内する上下の案内レール５，６と、ネット２を閉鎖した際に可動桟４と当接する当接枠（縦枠）７とを有して構成されている。そして、ロール網戸本体３および当接枠７は、窓等の縦枠（不図示）の室内側側面に固定され、上下の案内レール５，６は、窓等の上枠および下枠（不図示）の室内側側面に固定されている。可動桟４は、図２に示すように、その上下端部に被案内部４１，４２を有した摺動片が取り付けられており、これらの被案内部４１，４２が上下の案内レール５，６の案内部５１，６１に案内されることで左右スライド可能になっている。また、ロール網戸１には、可動桟４に固定された係止装置本体１０と、当接枠７における室内空間側に設けられた受け部２０とを備えた係止装置が設けられ、ネット２を閉鎖した状態で係止装置本体１０を受け部２０に係止させることで、当接枠７に対して可動桟４およびネット２が不用意に開移動しないように規制できるようになっている。
【００１６】
係止装置本体１０は、可動桟４における室内空間側に設けられる室内側本体１１と、可動桟４における室外空間側に設けられる室外側本体１２とを有して構成されている。
室内側本体１１は、可動桟４の室内側側面４Ａにビス止め固定される室内側ベース１３と、この室内側ベース１３に支持される主操作部材である室内側操作部材１４と、この室内側操作部材１４を室内側ベース１３に回動自在に連結する主回動軸である室内側回動軸１５と、室内側操作部材１４を一方の回動方向に付勢するねじりコイルばね１９（図４参照）とを有して構成されている。すなわち、室内側操作部材１４は、可動桟４の長手方向（上下方向）に沿った室内側回動軸１５回りに回動自在に支持されている。
【００１７】
室内側本体１１の室内側操作部材１４は、図３に示すように、当接枠７の受け部２０に係合可能な係合部１４１と、室内側操作部材１４を回動操作するための主操作部である室内側操作部１４２と、室内側回動軸１５よりも室外側に延びる連結部１４３とを有し、平面視略Ｔ字形に形成されている。この室内側操作部材１４において、係合部１４１は、室内側回動軸１５よりも可動桟４の閉方向寄り（図１、３の左側）に設けられ、室内側操作部１４２は、室内側回動軸１５を挟んで係合部１４１の反対側である可動桟４の開方向寄り（図１、３の右側）に設けられている。そして、室内側操作部材１４は、ねじりコイルばね１９によって係合部１４１が受け部２０に係合する回動方向（図３における時計回りの方向、係合方向）に付勢されている。一方、室内側操作部１４２を室外側に押し込むことで、ねじりコイルばね１９の付勢力に抗して室内側操作部材１４が図３における反時計回り（係合解除方向）に回動し、係合部１４１を室内側に移動させて受け部２０との係合が解除できるようになっている。
【００１８】
一方、室外側本体１２は、可動桟４の室外側側面４Ｂにビス止め固定される室外側ベース１６と、この室外側ベース１６に支持される副操作部材である室外側操作部材１７と、この室外側操作部材１７を室外側ベース１６に回動自在に連結する副回動軸である室外側回動軸１８とを有して構成されている。すなわち、室外側操作部材１７は、可動桟４の長手方向（上下方向）に沿って室内側回動軸１５と平行な室外側回動軸１８回りに回動自在に支持されている。そして、室外側操作部材１７は、室外側回動軸１８よりも室外側に延びて室外側操作部材１７を回動操作するための副操作部である室外側操作部１７１と、室外側回動軸１８よりも室内側に延びて室内側操作部材１４の連結部１４３に回転可能に連結される被連結部１７２とを有して形成されている。室内側操作部材１４の連結部１４３は、上下に延びかつ断面略Ｕ字形に形成され、室外側操作部材１７の被連結部１７２は、室内側回動軸１５および室外側回動軸１８に平行な軸で形成されており、可動桟４の中空内部において連結部１４３に被連結部１７２を嵌めることで、互いに回転可能かつ互いの回動を伝達可能に連結されるようになっている。
【００１９】
以上のような係止装置本体１０では、図５に示すように、可動桟４を閉鎖操作して当接枠７に当接する閉位置まで移動させると、係合部１４１の傾斜面が当接枠７の受け部２０に当接（図５(Ｂ)の状態）して室内側操作部材１４が係合解除方向に回動されるとともに、係合部１４１が受け部２０を乗り越えてから（図５(Ｃ)の状態）、ねじりコイルばね１９の付勢力により室内側操作部材１４が係合方向に回動され、図１に示すように係合部１４１が受け部２０に係合する。この係合部１４１と受け部２０との係合により、可動桟４の開移動が規制され、ネット２の閉鎖状態が維持されるようになっている。
係合部１４１と受け部２０とが係合した状態において、室内側から可動桟４およびネット２を開放する場合には、室内側操作部材１４の室内側操作部１４２を室外側に押し込んで室内側操作部材１４を係合解除方向に回動させ、係合部１４１と受け部２０との係合を解除する（図３の状態）とともに、室内側操作部１４２を可動桟４の開方向に押して可動桟４を当接枠７から離隔させることで、係合部１４１が受け部２０から外れる。その後、可動桟４の端縁を引いて可動桟４を開方向にスライドさせることで、可動桟４およびネット２が開放されるようになっている。
【００２０】
一方、室外側から可動桟４およびネット２を開放する場合には、室外側操作部材１７の室外側操作部１７１を可動桟４の開方向に引いて室外側操作部材１７を回動させることで、被連結部１７２が室外側操作部１７１と反対側に移動するとともに、この被連結部１７２に連動して連結部１４３が当接枠７側に移動して室内側操作部材１４が係合解除方向に回動される。これにより、室内側操作部材１４の係合部１４１と受け部２０との係合が解除される（図３の状態）とともに、引き続き室外側操作部１７１を可動桟４の開方向に引いて可動桟４を当接枠７から離隔させることで、係合部１４１が受け部２０から外れる。その後、室外側操作部１７１あるいは可動桟４の端縁を引いて可動桟４を開方向にスライドさせることで、可動桟４およびネット２が開放されるようになっている。
【００２１】
なお、本実施形態において、係止装置本体１０の構造としては上述したものに限らず、次の図６に示す構造を採用してもよい。図６(Ａ)，(Ｂ)は、それぞれ本実施形態の変形例に係る係止装置本体１０Ａ，１０Ｂを示す横断面図である。
図６(Ａ)に示す係止装置本体１０Ａは、前記係止装置本体１０における室内側本体１１の室内側操作部材１４と相違した構造の室内側操作部材１４Ａを有して形成されている。すなわち、室内側操作部材１４Ａは、前述と同様の係合部１４１、室内側操作部１４２、および連結部１４３と、係合部１４１よりも受け部２０側に突出して設けられた主操作部である室内側第２操作部１４４とを有して形成されている。この室内側第２操作部１４４は、係合部１４１よりも可動桟４の閉方向寄り（図６の左側）に設けられており、この室内側第２操作部１４４に指を引っ掛けて室内側に引くことで、室内側操作部材１４Ａが係合解除方向に回動し、係合部１４１と受け部２０との係合が解除できるようになっている。また、室内側操作部１４２を室外側に押し込んだ場合でも、前述と同様に係合部１４１と受け部２０との係合が解除できる。
【００２２】
図６(Ｂ)に示す係止装置本体１０Ｂは、前記係止装置本体１０における室内側本体１１の室内側操作部材１４および室外側操作部材１７と相違した構造の室内側操作部材１４Ｂおよび室外側操作部材１７Ａを有して形成されている。すなわち、室内側操作部材１４Ｂは、係合部１４１、室内側操作部１４２、および連結部１４３と、室内側回動軸１５を挟んで連結部１４３の反対側（室内側）に突出して設けられた主操作部である室内側第２操作部１４５を有して形成されている。この室内側第２操作部１４５は、可動桟４の閉方向側に折り曲げて形成されており、この室内側第２操作部１４５に指を引っ掛けて可動桟４の開方向側に引くことで、室内側操作部材１４Ｂが係合解除方向に回動し、係合部１４１と受け部２０との係合が解除できるようになっている。また、室内側操作部１４２を室外側に押し込んだ場合でも、前述と同様に係合部１４１と受け部２０との係合が解除できる。
【００２３】
一方、係止装置本体１０Ｂにおける室外側操作部材１７Ａは、被連結部１７２と、前述の室外側操作部１７１よりも室外側に突出して形成された副操作部である室外側操作部１７３とを有して形成されている。、すなわち、室外側操作部１７３は、室外側回動軸１８を挟んで被連結部１７２の反対側に突出し、かつ可動桟４の閉方向側に折り曲げて形成されており、この室外側操作部１７３に指を引っ掛けて可動桟４の開方向側に引くことで、室外側操作部材１７Ａが回動し、被連結部１７２および連結部１４３を介して室内側操作部材１４Ｂが係合解除方向に回動され、係合部１４１と受け部２０との係合が解除できるようになっている。
なお、図６(Ａ)，（Ｂ）の係止装置本体１０Ａ，１０Ｂにおいて、室内側操作部材１４Ａ，１４Ｂから室内側操作部１４２が省略されてもよく、その場合には、室内側操作部材１４Ａ，１４Ｂの左右見付け寸法を短く形成することができる。また、係止装置本体１０Ｂにおいて、図６(Ａ)の室内側第２操作部１４４のように、室外側操作部が受け部２０側に延びて形成されていてもよい。
【００２４】
このような本実施形態によれば、以下のような効果がある。
（１）すなわち、室内側操作部材１４，１４Ａ，１４Ｂと室外側操作部材１７，１７Ａとを有して係止装置本体１０，１０Ａ，１０Ｂが構成され、室内側操作部材１４，１４Ａ，１４Ｂの連結部１４３と室外側操作部材１７，１７Ａの被連結部１７２とが回転可能に連結されているので、室外側から室外側操作部材１７，１７Ａを回動操作することによって室内側操作部材１４，１４Ａ，１４Ｂが回動され、係合部１４１と受け部２０との係合を解除することができる。
【００２５】
（２）また、室外側操作部材１７，１７Ａを回動操作する操作方向が可動桟４の開方向に合致しているので、係合部１４１と受け部２０との係合解除操作と可動桟４の開放操作とを連続した一連の操作で行うことができる。従って、簡単な構造でロール網戸１の係止装置本体１０，１０Ａ，１０Ｂを構成することができるとともに、室外側からであっても良好な操作性で可動桟４およびネット２を開放することができる。
【００２６】
（３）また、室内側操作部材１４，１４Ａ，１４Ｂの連結部１４３と室外側操作部材１７，１７Ａの被連結部１７２とが可動桟４の中空内部で連結されているので、室外の雨水や埃等の可動桟４内部への浸入や連結部分への付着を防止することができ、係止装置本体１０，１０Ａ，１０Ｂの安定動作を確保することができる。
【００２７】
（４）さらに、係止装置本体１０，１０Ａ，１０Ｂにおいて、室内側操作部材１４，１４Ａ，１４Ｂの室内側操作部１４２、室内側第２操作部１４４，１４５や、室外側操作部材１７，１７Ａの室外側操作部１７１，１７３の形態を任意に選択することで、ロール網戸１の室内外の外観意匠性や開放操作性のバリエーションを拡大することができる。
【００２８】
（５）そして、室内側回動軸１５を挟んで係合部１４１の反対側に室内側操作部１４２を設ければ、室内側操作部材１４の室外側面を板状に形成することができ、室内空間への突出量を小さくして邪魔にならず、意匠性を向上させることができる。
【００２９】
（６）また、図６(Ａ)に示すように、係合部１４１よりも受け部２０側に突出して室内側第２操作部１４４を設ければ、室内側第２操作部１４４による係合部１４１の係合解除操作に連続して可動桟４の開放操作を実施することができ、操作性を向上させることができる。さらに、室内側第２操作部１４４を設けた場合に、室内側操作部１４２を省略すれば、係合部１４１と室内側第２操作部１４４とが室内側回動軸１５に対して同じ側（受け部２０側）に設けられるので、室内側操作部材１４Ａの見付け寸法をコンパクトに形成することができ、意匠性をさらに良好にすることができる。
【００３０】
（７）さらに、図６(Ｂ)に示すように、室内側に突出して室内側第２操作部１４５を設ければ、指等を引っ掛けるようにして室内側第２操作部１４５を操作することができ、また室内側第２操作部１４５の操作方向を可動桟４の開方向に合致させることができるので、室内側操作部材１４Ｂの操作性をより一層良好にすることができる。そして、室外側操作部１７３を室内側第２操作部１４５と対称な形状に形成すれば、室内側第２操作部１４５と室外側操作部１７３との係止解除操作が共通化され、室内側から可動桟４を開放する場合と室外側から開放する場合とで操作感を統一することができる。
【００３１】
なお、本発明は、前記実施形態に限定されるものではなく、本発明の目的を達成できる他の構成等を含み、以下に示すような変形等も本発明に含まれる。
例えば、前記実施形態においては、ロール網戸１の可動桟４を係止する係止装置に関して説明したが、本発明の係止装置は、ロール網戸１に限らず、片引き形式や引き違い形式、引き分け形式等の開閉形式で開閉される障子や戸に適用したり、通常の四周を框材で囲まれた網戸に適用したりすることができる。さらに、巻き取り収納式のロール網戸１に限らず、本発明の係止装置をロールスクリーン等に適用してもよく、可動式の間仕切り材（パーティション）に適用してもよい。
また、前記実施形態では、第１空間を室内空間とし、第２空間を室外空間としたが、第１空間を室外空間とし、第２空間を室内空間としてもよい。さらに、第１および第２の空間がそれぞれ室内空間であってもよく、あるいは第１および第２の空間がそれぞれ室外空間であってもよい。すなわち、係合部を有した主操作部が室外空間側に設けられていてもよく、また副操作部が室内空間側に設けられていてもよい。
【００３２】
また、前記実施形態では、１つの主操作部である室内側操作部１４２を設けた室内側操作部材１４、２箇所の主操作部である室内側操作部１４２および室内側第２操作部１４４を設けた室内側操作部材１４Ａ、および２箇所の主操作部である室内側操作部１４２および室内側第２操作部１４５を設けた室内側操作部材１４Ｂを例示したが、主操作部として室内側操作部１４２、室内側第２操作部１４４，１４５の３箇所全てを有した室内側操作部材を採用してもよく、これら３箇所のうちから主操作部として任意に選択した１箇所、２箇所を有した室内側操作部材を採用してもよい。
さらに、室外側操作部材１７，１７Ａに関しても、前記実施形態の室外側操作部１７１，１７３に加えて他の副操作部を有して形成されていてもよい。
【００３３】
また、前記実施形態では、室内側操作部材（主操作部材）１４，１４Ａ，１４Ｂが室内側回動軸１５で室内側ベース１３に回動自在に支持され、室外側操作部材（副操作部材）１７，１７Ａが室外側回動軸１８で室外側ベース１６に回動自在に支持されていたが、主回動軸および副回動軸としては、これらの回動軸１５，１８に限らず、主操作部材や副操作部材に一体に形成した突起でもよく、この突起がベース１３，１６や可動桟４に軸支されていればよい。また、主操作部材や副操作部材に凹みや孔を形成しておき、ベース１３，１６や可動桟４から突出した突起を凹みや孔に挿入することでも、主操作部材および副操作部材を回動自在に支持することができる。これらの構成によれば、室内側回動軸１５や室外側回動軸１８を省略することができ、部品点数を一層削減することができる。
【００３４】
また、室内側操作部材（主操作部材）１４，１４Ａ，１４Ｂの連結部１４３や室外側操作部材（副操作部材）１７，１７Ａの被連結部１７２の構成は、前記実施形態で示したものに限らず、連結部を主回動軸および副回動軸と平行な軸で構成し、この軸に嵌合可能な形状に被連結部を形成してもよい。さらに、連結部と被連結部とが嵌合される必要はなく、例えば、前記実施形態における断面略Ｕ字形の連結部１４３から一方（図３の右側）の片を削除し、他方（図３の左側）の片が被連結部１７２に当接するように構成してもよい。このような構成によれば、室外側操作部材を回動操作することで連結部１４３の他方の片が押され、室内側操作部材が係合解除方向に回動されるようにでき、室内側操作部材を回動操作した場合には、被連結部１７２から連結部１４３の他方の片が離れて、室外側操作部材が連動しないようにできる。従って、比較的操作頻度の高い室内操作部材の操作に室外操作部材を連動させないことで、室外の雨水や埃等の可動桟内部への浸入をさらに確実に防止することができる。
また、前記実施形態における室内側本体１１（副操作部材である室外側操作部材１７，１７Ａ）を省略して係止装置本体を構成することも可能であり、この場合には、室内側からのみ操作可能な防犯性を有した係止装置が構成できるとともに、室外側本体１２（主操作部材である室内側操作部材１４，１４Ａ，１４Ｂ）を転用することで、部品の共通化を図ることができる。
【００３５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３６】
【図１】本発明の実施形態に係る建具を示す横断面図である。
【図２】前記建具を示す縦断面図である。
【図３】前記建具の可動桟および当接枠を拡大して示す横断面図である。
【図４】前記可動桟に設けられる係止装置本体を分解して示す分解斜視図である。
【図５】(Ａ)〜(Ｃ)は、前記係止装置本体の動作を説明する横断面図である。
【図６】(Ａ)，(Ｂ)は、それぞれ前記実施形態の変形例に係る係止装置本体を示す横断面図である。
【符号の説明】
【００３７】
１…建具であるロール網戸、２…ネット、３…ロール網戸本体、４…可動桟、５，６…案内レール、７…当接枠、１０，１０Ａ，１０Ｂ…係止装置本体、１４，１４Ａ，１４Ｂ…主操作部材である室内側操作部材、１５…主回動軸である室内側回動軸、１７，１７Ａ…副操作部材である室外側操作部材、１８…副回動軸である室外側回動軸、２０…受け部、１４１…係合部、１４２…主操作部である室内側操作部、１４３…連結部、１４４，１４５…主操作部である室内側第２操作部、１７１，１７３…副操作部である室外側操作部、１７２…被連結部。
【図１】
2007169906.tif 000003
【図２】
2007169906.tif 000004
【図３】
2007169906.tif 000005
【図４】
2007169906.tif 000006
【図５】
2007169906.tif 000007
【図６】
2007169906.tif 000008